(57)【要約】      （修正有）【課題】計量機能付きの精油滴下ポンプを提供する。【解決手段】滴下ポンプ１は、ハウジング２と、ハウジング内に固設されたモータ３と、モータの出力軸に設けられて出力軸と共に回動するウォーム４と、ハウジング内に回動可能に設けられてウォームと噛合するウォームホイール５と、ウォームホイールの周囲に固設された円弧状囲壁６とを含み、ハウジングの内側壁には、ウォームホイールが回動接続可能な固定軸７が設けられており、ウォームホイールは、固定軸に回動可能に周設されており、固定軸と円弧状囲壁との間には、軟管９を収容し通過させるための軟管溝８が形成され、軟管溝内に軟管が収容されており、円弧状囲壁の第一側には、ウォームがウォームホイールと噛合するための第一開口１０が設けられ、円弧状囲壁の第二側には、軟管が伸入及び伸出するための第二開口１１が設けられており、ウォームホイールには、軟管溝内で回動可能である。【選択図】図１
0003221186.tif 000002
【実用新案登録請求の範囲】
【請求項１】
計量機能付きの精油滴下ポンプであって、
ハウジングと、前記ハウジング内に固設されたモータと、前記モータの出力軸に設けられて前記出力軸と共に回動するウォームと、前記ハウジング内に回動可能に設けられて前記ウォームと噛合するウォームホイールと、前記ウォームホイールの周囲に固設された円弧状囲壁とを含み、
前記ハウジングの内側壁には、前記ウォームホイールが回動接続可能な固定軸が設けられ、
前記ウォームホイールは、前記固定軸に回動可能に周設され、
前記固定軸と前記円弧状囲壁との間には、軟管を収容し通過させるための軟管溝が形成され、前記軟管溝内に軟管が収容され、
前記円弧状囲壁の第一側には、前記ウォームがウォームホイールと噛合するための第一開口が設けられ、
前記円弧状囲壁の第二側には、前記軟管が伸入及び伸出するための第二開口が設けられ、
前記ウォームホイールには、前記軟管溝内で回動可能であり、前記軟管を前記円弧状囲壁に向かって押圧するための第一ローラ及び第二ローラが設けられ、
前記ウォームホイールの第一面には、前記ウォームホイールの第一面と垂直に固定接続された第一ローラ軸及び第二ローラ軸が設けられ、
前記第一ローラは、前記第一ローラ軸に回動可能に周設され、前記第二ローラは、前記第二ローラ軸に回動可能に周設され、
前記軟管の第一端には、精油瓶内に挿入可能な硬管が接続されており、前記軟管の第二端は、ハウジング外に伸出して、精油が排出される出液口を形成している
ことを特徴とする計量機能付きの精油滴下ポンプ。
【請求項２】
前記軟管の第二端外における前記出液口からの距離が異なる位置には、それぞれ第一発光管、第二発光管が固設され、
前記軟管の第二端外には、前記第一発光管の位置に対向して、前記第一発光管により発された光線を受光するための第一受光管が固設されるとともに、前記第二発光管の位置に対向して、前記第二発光管により発された光線を受光するための第二受光管が固設され、
前記滴下ポンプは、前記ハウジング内又はハウジング外に設けられて前記第一受光管及び第二受光管と電気的に接続されたマイクロプロセッサを更に含む
ことを特徴とする請求項１に記載の計量機能付きの精油滴下ポンプ。
【請求項３】
前記マイクロプロセッサと電気的に接続され、前記モータを、正逆回動又は停止するように制御するためのコントローラを更に含む
ことを特徴とする請求項２に記載の計量機能付きの精油滴下ポンプ。
【請求項４】
前記ハウジング外に設けられて前記マイクロプロセッサと電気的に接続され、精油排出量を表示するための表示画面を更に含み、前記滴下ポンプは、前記ハウジング外に設けられて前記マイクロプロセッサと電気的に接続され、利用者による精油排出量の設定を受け付ける受付装置を更に含む
ことを特徴とする請求項３に記載の計量機能付きの精油滴下ポンプ。
【請求項５】
前記ウォームホイールの中心には、前記固定軸に回動可能に周設されたスリーブが固設されている
ことを特徴とする請求項１に記載の計量機能付きの精油滴下ポンプ。
【請求項６】
前記第一ローラ軸と前記第二ローラ軸とは、それぞれ前記スリーブの両側に対称的に設けられている
ことを特徴とする請求項５に記載の計量機能付きの精油滴下ポンプ。
【請求項７】
前記ハウジング内には、前記モータを固定取付するための取付台が設けられており、前記ハウジングの第一側には、前記軟管の第二端が伸出するための伸出口が設けられており、前記ハウジングの底部には、精油瓶の瓶口と接続するためのロータリジョイントが固設されており、前記硬管は、前記ロータリジョイントに固設されている
ことを特徴とする請求項１に記載の計量機能付きの精油滴下ポンプ。
【請求項８】
前記ロータリジョイント内には、前記硬管と前記軟管との接続箇所を固定するためのコネクタが設けられており、前記ロータリジョイントの内側壁には、精油瓶と螺接するための雌ネジが設けられている
ことを特徴とする請求項７に記載の計量機能付きの精油滴下ポンプ。
【請求項９】
前記ロータリジョイントの底壁には、シールガスケットが付設されている
ことを特徴とする請求項８に記載の計量機能付きの精油滴下ポンプ。
【考案の詳細な説明】
【技術分野】
【０００１】
本考案は、計量機能付きの精油滴下ポンプに関する。
【背景技術】
【０００２】
アロマテラピーは、欧米諸国で生活習慣になっており、中国でも流行ってきている。アロマテラピー用精油の実用品種の数から、アロマテラピー方式は、単方アロマテラピー及び複方アロマテラピーに分けられる。その名の示すとおり、単方アロマテラピーは、アロマテラピー中に、１品種の精油のみを使用するのに対して、複方アロマテラピーは、アロマテラピー中に、必要に応じて複数品種の精油を併用する。複数品種の精油が混合されると、異なる程度及び異なる速度の化学反応が発生することが多いため、精油は、包装、輸送及び貯蔵のいずれの過程においても、単一品種で別々に取り扱われており、使用の際だけ、処方に応じて、指定された割合で混合される。
【０００３】
従来の複方アロマテラピーでは、精油の混合が手動で行われている。即ち、精油瓶の栓には、精油が滴状でしか滴出されないように、微小な出口穴が設けられており、混合の際、処方の要求に応じて、対応する精油瓶を手動で傾け、指定された滴数の精油が滴出されると、精油瓶を直立状態に戻し、精油のさらなる滴出が禁止される。こうして、精油の混合が完成し、複方のものになり、その後、混合された精油を霧化又は揮発させることで、アロマテラピーが完成する。
【０００４】
手動による複方混合は、工程上で煩わしく、なおかつ、毎回のアロマテラピーの前に、処方を確認し、処方に従って精油を滴下する必要がある。既に高度にスマート化されている現在の社会と比べて、従来の複方アロマテラピーは、技術面で相対的に遅れており、その一方で、単方アロマテラピーは、毎回に１品種の精油を滴下するだけでよいが、同様に、手動による滴下を要するという煩わしさがあり、両者とも、滴下効率が低い。
【考案の概要】
【考案が解決しようとする課題】
【０００５】
本考案は、先行技術における上記のような欠点に対処して、計量機能付きの精油滴下ポンプを提供する。
【課題を解決するための手段】
【０００６】
本考案は、その課題を解決するための技術手段が、以下の通りである。計量機能付きの精油滴下ポンプを考案し、当該滴下ポンプは、ハウジングと、当該ハウジング内に固設されたモータと、当該モータの出力軸に設けられて当該出力軸と共に回動するウォームと、当該ハウジング内に回動可能に設けられて当該ウォームと噛合するウォームホイールと、当該ウォームホイールの周囲に固設された円弧状囲壁とを含み、当該ハウジングの内側壁には、当該ウォームホイールが回動接続可能な固定軸が設けられており、当該ウォームホイールは、当該固定軸に回動可能に周設されており、当該固定軸と当該円弧状囲壁との間には、軟管を収容し通過させるための軟管溝が形成され、当該軟管溝内に軟管が収容されており、当該円弧状囲壁の第一側には、当該ウォームがウォームホイールと噛合するための第一開口が設けられ、当該円弧状囲壁の第二側には、当該軟管が伸入及び伸出するための第二開口が設けられており、当該ウォームホイールには、当該軟管溝内で回動可能であり、当該軟管を当該円弧状囲壁に向かって押圧するための第一ローラ及び第二ローラが設けられており、当該ウォームホイールの第一面には、当該ウォームホイールの第一面と垂直に固定接続された第一ローラ軸及び第二ローラ軸が設けられており、当該第一ローラは、当該第一ローラ軸に回動可能に周設され、当該第二ローラは、当該第二ローラ軸に回動可能に周設されており、当該軟管の第一端には、精油瓶内に挿入可能な硬管が接続されており、当該軟管の第二端は、ハウジング外に伸出して、精油が排出される出液口を形成している。
【０００７】
本考案に記載の計量機能付きの精油滴下ポンプにおいて、当該軟管の第二端外における当該出液口からの距離が異なる位置には、それぞれ第一発光管、第二発光管が固設されており、当該軟管の第二端外には、当該第一発光管の位置に対向して、当該第一発光管により発された光線を受光するための第一受光管が固設されるとともに、当該第二発光管の位置に対向して、当該第二発光管により発された光線を受光するための第二受光管が固設されており、当該滴下ポンプは、当該ハウジング内又はハウジング外に設けられて当該第一受光管及び第二受光管と電気的に接続されたマイクロプロセッサを更に含む。
【０００８】
本考案に記載の計量機能付きの精油滴下ポンプにおいて、当該滴下ポンプは、当該マイクロプロセッサと電気的に接続され、当該モータを、正逆回動又は停止するように制御するためのコントローラを更に含む。
【０００９】
本考案に記載の計量機能付きの精油滴下ポンプにおいて、当該滴下ポンプは、当該ハウジング外に設けられて当該マイクロプロセッサと電気的に接続され、精油排出量を表示するための表示画面を更に含み、当該滴下ポンプは、当該ハウジング外に設けられて当該マイクロプロセッサと電気的に接続され、利用者による精油排出量の設定を受け付ける受付装置を更に含む。
【００１０】
本考案に記載の計量機能付きの精油滴下ポンプにおいて、当該ウォームホイールの中心には、当該固定軸に回動可能に周設されたスリーブが固設されている。
【００１１】
本考案に記載の計量機能付きの精油滴下ポンプにおいて、当該第一ローラ軸と当該第二ローラ軸とは、それぞれ当該スリーブの両側に対称的に設けられている。
【００１２】
本考案に記載の計量機能付きの精油滴下ポンプにおいて、当該ハウジング内には、当該モータを固定取付するための取付台が設けられており、当該ハウジングの第一側には、当該軟管の第二端が伸出するための伸出口が設けられており、当該ハウジングの底部には、精油瓶の瓶口と接続するためのロータリジョイントが固設されており、当該硬管は、当該ロータリジョイントに固設されている。
【００１３】
本考案に記載の計量機能付きの精油滴下ポンプにおいて、当該ロータリジョイント内には、当該硬管と当該軟管との接続箇所を固定するためのコネクタが設けられており、当該ロータリジョイントの内側壁には、精油瓶と螺接するための雌ネジが設けられている。
【００１４】
本考案に記載の計量機能付きの精油滴下ポンプにおいて、当該ロータリジョイントの底壁には、シールガスケットが付設されている。
【考案の効果】
【００１５】
本考案に係る計量機能付きの精油滴下ポンプを実施すれば、以下の有益な効果を奏する。即ち、本考案に係る計量機能付きの精油滴下ポンプを使用する際、精油を滴下する必要がある場合、硬管を精油瓶内にシール挿入し、モータをオンにしてウォームを回動させればよい。ウォームの回動によって、それと噛合するウォームホイールが回動し、ウォームホイールの回動によって、ウォームホイール上に位置する第一ローラ及び第二ローラが第一方向に沿って回動し、第一ローラ及び第二ローラが回動中に軟管を押圧することで、軟管のうち第一ローラと第二ローラとの間に位置する部分が密閉腔を形成するようになる。第一ローラ及び第二ローラのウォームホイールに伴う回動中には、軟管内の密閉腔が移動し、精油が吸引されて密閉腔に沿って移動することで、精油が軟管の出液口から滴出されるようになり、こうして、精油の自動ポンピングが実現され、滴下効率が向上する。
【図面の簡単な説明】
【００１６】
以下、添付図面及び実施例を参照して、本考案を更に説明する。
【図１】図１は、本考案に係る計量機能付きの精油滴下ポンプの構造模式図である。
【図２】図２は、本考案に係る計量機能付きの精油滴下ポンプにおける回路図である。
【考案を実施するための形態】
【００１７】
本考案の目的、技術手段および利点をより明確にするために、以下、添付図面を参照して本考案の実施形態をさらに詳しく説明する。
【００１８】
図１に示すように、本考案に係る計量機能付きの精油滴下ポンプの第一実施例において、当該滴下ポンプ１は、ハウジング２と、当該ハウジング２内に固設されたモータ３と、当該モータ３の出力軸に設けられて当該出力軸と共に回動するウォーム４と、当該ハウジング２内に回動可能に設けられて当該ウォーム４と噛合するウォームホイール５と、当該ウォームホイール５の周囲に固設された円弧状囲壁６とを含む。当該ハウジング２の内側壁には、当該ウォームホイール５が回動接続可能な固定軸７が設けられている。当該ウォームホイール５は、当該固定軸７に回動可能に周設されており、当該固定軸７と当該円弧状囲壁６との間には、軟管９を収容し通過させるための軟管溝８が形成される。当該軟管溝８内には軟管９が収容されている。当該円弧状囲壁６の第一側には、当該ウォーム４がウォームホイール５と噛合するための第一開口１０が設けられている。当該円弧状囲壁６の第二側には、当該軟管９が伸入及び伸出するための第二開口１１が設けられている。当該ウォームホイール５には、当該軟管溝８内で回動可能であり、当該軟管９を当該円弧状囲壁６に向かって押圧するための第一ローラ１２及び第二ローラ１３が設けられている。当該ウォームホイール５の第一面には、当該ウォームホイール５の第一面と垂直に固定接続された第一ローラ軸１４及び第二ローラ軸１５が設けられている。当該第一ローラ１２は、当該第一ローラ軸１４に回動可能に周設されている。当該第二ローラ１３は、当該第二ローラ軸１５に回動可能に周設されている。当該軟管９の第一端には、精油瓶２３内に挿入可能な硬管１６が接続されている。当該軟管９の第二端は、ハウジング２外に伸出して、精油が排出される出液口１７を形成している。
【００１９】
本考案に係る計量機能付きの精油滴下ポンプ１を使用する際、精油を滴下する必要がある場合、硬管１６を精油瓶２３内にシール挿入し、モータ３をオンにしてウォーム４を回動させればよい。ウォーム４の回動によって、それと噛合するウォームホイール５が回動し、ウォームホイール５の回動によって、ウォームホイール５上に位置する第一ローラ１２及び第二ローラ１３が第一方向に沿って回動し、第一ローラ１２及び第二ローラ１３が回動中に軟管９を押圧することで、軟管９のうち第一ローラ１２と第二ローラ１３との間に位置する部分が密閉腔を形成するようになる。第一ローラ１２及び第二ローラ１３のウォームホイール５に伴う回動中には、軟管９内の密閉腔が移動し、精油が吸引されて密閉腔に沿って移動することで、精油が軟管９の出液口１７から滴出されるようになり、こうして、精油の自動ポンピングが実現され、滴下効率が向上する。
【００２０】
精油のポンピングが完了した後、モータ３を、逆回動するように制御すればよく、第一ローラ１２及び第二ローラ１３が第二方向に沿って回動し、第一ローラ１２及び第二ローラ１３がその間の密閉腔の方向に沿って移動して、軟管９内にある精油を精油瓶２３内に吸い戻すことで、精油が軟管９内に長時間留まることによる軟管９の腐食が防止されると共に、軟管９内の精油の外部への揮発が回避される。
【００２１】
当然のことながら、当該硬管１６を精油瓶２３内に挿入する際、滴下ポンプ１の動作中に空気が接続箇所から入ってしまうことによって滴下ポンプ１が正常に動作できなくなるのを防止するために、硬管１６と精油瓶２３とのシール接続を保たなければならない。具体的なシール接続構造は、後述する。
【００２２】
本実施形態において、図２に示すように、精油の滴下量をより正確に制御するために、当該軟管９の第二端外における当該出液口１７からの距離が異なる位置には、それぞれ第一発光管Ｌ１、第二発光管Ｌ２が固設されている。当該軟管９の第二端外には、当該第一発光管Ｌ１の位置に対向して、当該第一発光管Ｌ１により発された光線を受光するための第一受光管ＬＤ１が固設されるとともに、当該第二発光管Ｌ２の位置に対向して、当該第二発光管Ｌ２により発された光線を受光するための第二受光管ＬＤ２が固設されている。当該滴下ポンプ１は、当該ハウジング２内又はハウジング２外に設けられて当該第一受光管ＬＤ１及び第二受光管ＬＤ２と電気的に接続されたマイクロプロセッサを更に含む。当該滴下ポンプ１は、当該マイクロプロセッサと電気的に接続され、当該モータ３を、正逆回動又は停止するように制御するためのコントローラを更に含む。当該滴下ポンプ１は、当該ハウジング２外に設けられて当該マイクロプロセッサと電気的に接続され、精油排出量を表示するための表示画面を更に含む。当該滴下ポンプ１は、当該ハウジング２外に設けられて当該マイクロプロセッサと電気的に接続され、利用者による精油排出量の設定を受け付ける受付装置を更に含む。
【００２３】
モータ３のオンと同時に、第一発光管Ｌ１、第二発光管Ｌ２、第一受光管ＬＤ１、第二受光管ＬＤ２及び制御回路をオンにして、精油がまだ第一発光管Ｌ１、第二発光管Ｌ２、第一受光管ＬＤ１、第二受光管ＬＤ２の位置を流れていない際は、第一受光管ＬＤ１及び第二受光管ＬＤ２により受光された第一発光管Ｌ１及び第二発光管Ｌ２の発光強度が一定になっている。この時、第一受光管ＬＤ１及び第二受光管ＬＤ２は、第一電気信号を生成してマイクロプロセッサに伝送する。精油が第一発光管Ｌ１及び第一受光管ＬＤ１の位置を流れると、第一受光管ＬＤ１により受光された光線が弱まる。この時、第一受光管ＬＤ１は、第二電気信号を生成してマイクロプロセッサに伝送し、マイクロプロセッサは、第二電気信号を受け取った時点ｔ１を記録する。精油が第二発光管Ｌ２及び第二受光管ＬＤ２位置を流れると、第二受光管ＬＤ２により受光された光線が弱まる。この時、第二受光管ＬＤ２は、第三電気信号を生成してマイクロプロセッサに伝送し、マイクロプロセッサは、第三電気信号を受け取った時点ｔ２を記録する。マイクロプロセッサは、第一受光管ＬＤ１と第二受光管ＬＤ２との間の距離ｓ、及び、ｔ１とｔ２との間の時間差に基づいて、精油流速ｖ＝ｓ／（ｔ２−ｔ１）のように精油の軟管９内での流速を計算し、更に、精油流速ｖ及び軟管９の内径ｒから、排出量Ｖ＝ｖ＊πｒ2のように精油排出量Ｖを計算する。
【００２４】
ウォームホイール５の固定軸７上での回動、及びウォームホイール５の取付を容易にするために、当該ウォームホイール５の中心には、当該固定軸７に回動可能に周設されたスリーブ１８が固設されている。ウォームホイール５を組み付ける際、直接にウォームホイール５上のスリーブ１８を固定軸７に周設すればよい。
【００２５】
好ましくは、本実施形態において、当該第一ローラ軸１４と当該第二ローラ軸１５とは、それぞれ当該スリーブ１８の両側に対称的に設けられている。第一ローラ軸１４、第二ローラ軸１５及びスリーブ１８の中心点は、同一直線上に位置し、且つ第一ローラ軸１４と第二ローラ軸１５とは、スリーブ１８からの距離が等しい。他の実施形態において、当該第一ローラ軸１４の中心及び当該第二ローラ軸１５の中心は、ウォームホイール５の中心を円心とする同一円周上に位置し、当該円弧状囲壁６の弧線は、第一ローラ１２と第二ローラ１３との間の距離よりも大きければよい。
【００２６】
更に、当該ハウジング２内には、当該モータ３を固定取付するための取付台２０が設けられている。当該モータ３は、取付台２０に固定螺接、溶接又は接着される。当該ハウジング２の第一側には、当該軟管９の第二端が伸出するための伸出口が設けられている。当該ハウジング２の底部には、精油瓶２３の瓶口と接続するためのロータリジョイント１９が固設されている。当該硬管１６は、当該ロータリジョイントに固設され、当該ロータリジョイント１９によって精油瓶２３とのシール接続を形成する。
【００２７】
具体的に、当該ロータリジョイント１９内には、当該硬管１６と当該軟管９との接続箇所を固定するためのコネクタ２１が設けられている。当該ロータリジョイント１９の内側壁には、精油瓶２３と螺接するための雌ネジが設けられている。当該ロータリジョイント１９の底壁には、シールガスケット２２が付設されている。
【００２８】
ロータリジョイント１９を精油瓶２３の瓶口に螺接すると、精油瓶２３の瓶口がロータリジョイント１９の底壁におけるシールガスケット２２に抵接し、ロータリジョイント１９と精油瓶２３とのシール接続が形成され、滴下ポンプ１の動作中に外界空気が精油瓶２３、硬管１６及び軟管９内に入ってしまうことが防止される。
【００２９】
以上の説明は、あくまでも本考案の実施例に過ぎず、本考案の請求の範囲は、これによって制限されるものではない。本考案の明細書及び図面を元になされた等価構造や等価流れ置換、あるいは、直接又は間接的に他の関連技術分野に適用されたものは、全て本考案の保護範囲内に含まれるものとする。
【図１】
0003221186.tif 000003
【図２】
0003221186.tif 000004